(57)【要約】【課題】ＳＲＢ１及びＳＲＢ２における無線リソースを浪費することなく、ＭＤＴを実現する。【解決手段】本発明に係る移動通信方法は、無線基地局ｅＮＢが、移動局ＵＥに対して、「ＭｅａｓＯｂｊｅｃｔ」及び「ＲｅｐｏｒｔＣｏｎｆｉｇ」を含む「ＭＤＴ  ＭｅａｓＣｏｎｆｉｇ」を送信する工程Ａと、移動局ＵＥが、「ＲｅｐｏｒｔＣｏｎｆｉｇ」によって指定されているＳＲＢを用いて、無線基地局ｅＮＢに対して、「ＭｅａｓＯｂｊｅｃｔ」によって指定される測定対象における測定結果を含む「ＭＤＴ  ＭｅａｓＲｅｐｏｒｔ」を送信する工程Ｂとを有する。【選択図】図５
2011238997.tif 000002
【特許請求の範囲】
【請求項１】
無線基地局が、移動局に対して、測定対象情報及び報告条件を含む試験用測定制御情報を送信する工程Ａと、
前記移動局が、前記報告条件によって指定されているシグナリング用無線ベアラを用いて、前記無線基地局に対して、前記測定対象情報によって指定される測定対象における測定結果を含む試験用測定報告を送信する工程Ｂとを有することを特徴とする移動通信方法。
【請求項２】
前記シグナリング用無線ベアラには、ＲＲＣシグナリングを送受信する第１シグナリング用無線ベアラと、ＮＡＳシグナリングを送受信する第２シグナリング用無線ベアラと、第３シグナリング用無線ベアラとが含まれており、
前記無線基地局と前記移動局との間で、前記第１シグナリング用無線ベアラを用いて、前記第３シグナリング用無線ベアラを確立する工程を有することを特徴とする請求項１に記載の移動通信方法。
【請求項３】
前記工程Ａにおいて、前記無線基地局は、前記移動局に対して、前記第３シグナリング用無線ベアラを用いて、前記試験用測定制御情報を送信することを特徴とする請求項２に記載の移動通信方法。
【請求項４】
前記第３シグナリング用無線ベアラの優先度は、前記第１シグナリング用無線ベアラの優先度及び前記第２シグナリング用無線ベアラの優先度よりも低いことを特徴とする請求項２又は３に記載の移動通信方法。
【請求項５】
無線基地局から、測定対象情報及び報告条件を含む試験用測定制御情報を受信するように構成されている受信部と、
前記報告条件によって指定されているシグナリング用無線ベアラを用いて、前記無線基地局に対して、前記測定対象情報によって指定される測定対象における測定結果を含む試験用測定報告を送信するように構成されている送信部とを具備することを特徴とする移動局。
【請求項６】
前記シグナリング用無線ベアラには、ＲＲＣシグナリングを送受信する第１シグナリング用無線ベアラと、ＮＡＳシグナリングを送受信する第２シグナリング用無線ベアラと、第３シグナリング用無線ベアラとが含まれており、
前記無線基地局との間で、前記第１シグナリング用無線ベアラを用いて、前記第３シグナリング用無線ベアラを確立するように構成されている確立部を具備することを特徴とする請求項５に記載の移動局。
【請求項７】
前記第３シグナリング用無線ベアラの優先度は、前記第１シグナリング用無線ベアラの優先度及び前記第２シグナリング用無線ベアラの優先度よりも低いことを特徴とする請求項６に記載の移動局。
【請求項８】
移動局に対して、測定対象情報及び報告条件を含む試験用測定制御情報を送信するように構成されている送信部を具備し、
前記移動局から、前記報告条件によって指定されているシグナリング用無線ベアラを用いて、前記測定対象情報によって指定されている測定対象における測定結果を含む試験用測定報告を受信するように構成されている受信部とを具備することを特徴とする無線基地局。
【請求項９】
前記シグナリング用無線ベアラには、ＲＲＣシグナリングを送受信する第１シグナリング用無線ベアラと、ＮＡＳシグナリングを送受信する第２シグナリング用無線ベアラと、第３シグナリング用無線ベアラとが含まれており、
前記移動局との間で、前記第１シグナリング用無線ベアラを用いて、前記第３シグナリング用無線ベアラを確立するように構成されている確立部を具備することを特徴とする請求項８に記載の無線基地局。
【請求項１０】
前記送信部は、前記移動局に対して、前記第３シグナリング用無線ベアラを用いて、前記試験用測定制御情報を送信するように構成されていることを特徴とする請求項９に記載の無線基地局。
【請求項１１】
前記第３シグナリング用無線ベアラの優先度は、前記第１シグナリング用無線ベアラの優先度及び前記第２シグナリング用無線ベアラの優先度よりも低いことを特徴とする請求項９又は１０に記載の無線基地局。
【発明の詳細な説明】
【技術分野】
【０００１】
本発明は、移動通信方法、移動局及び無線基地局に関する。
【背景技術】
【０００２】
現在、３ＧＰＰでは、「ＭＤＴ（Ｍｉｎｉｍｉｓａｔｉｏｎ  ｏｆ  Ｄｒｉｖｅ  Ｔｅｓｔｓ）」が議論されている。ＭＤＴは、ネットワークで移動局ＵＥからの無線品質の測定結果を収集することで、従来オペレータが行っていた電波測定の必要性を最小化するものである。
【０００３】
ここで、ＭＤＴには、「Ｌｏｇｇｅｄ  ＭＤＴ」と「Ｉｍｍｅｄｉａｔｅ  ＭＤＴ」とが含まれている。
【０００４】
「Ｌｏｇｇｅｄ  ＭＤＴ」では、移動局ＵＥは、無線品質の測定結果をログとして記憶しておき、所定量のログが溜まった場合に、まとめてネットワークに報告するように構成されている。
【０００５】
一方の「Ｉｍｍｅｄｉａｔｅ  ＭＤＴ」では、移動局ＵＥは、無線品質の測定結果を、トリガの発生に応じて、その都度、即座にネットワークに報告するように構成されている。
【０００６】
「Ｉｍｍｅｄｉａｔｅ  ＭＤＴ」のトリガとしては、例えば、「Ｓｅｒｖｉｎｇ＜ｔｈｒｅｓｈ（Ｅｖｅｎｔ-Ａ２相当）といったイベントトリガ（Ｅｖｅｎｔ  ｔｒｉｇｇｅｒ）や、周期的なトリガである「Ｐｅｒｉｏｄｉｃａｌ」や、「ＲＬＦ（Ｒａｄｉｏ  Ｌｉｎｋ  Ｆａｉｌｕｒｅ）の検出」等が考えられている。
【０００７】
「Ｉｍｍｅｄｉａｔｅ  ＭＤＴ」としては、基本的に、従来のＬＴＥ（Ｌｏｎｇ  Ｔｅｒｍ  Ｅｖｏｌｕｔｉｏｎ）  Ｒｅｌｅａｓｅ-８/９方式の「ＭｅａｓＣｏｎｆｉｇ」や「ＭｅａｓＲｅｐｏｒｔ」を流用することが考えられている。
【０００８】
ここで、ＬＴＥ  Ｒｅｌｅａｓｅ-８/９方式の「ＭｅａｓＣｏｎｆｉｇ」や「ＭｅａｓＲｅｐｏｒｔ」は、基本的に、モビリティサポートを目的としたサービングセルや周辺セルの測定処理及び測定報告を行うように設計されている。
【０００９】
「ＭｅａｓＣｏｎｆｉｇ」は、移動局ＵＥがモビリティサポートのために行うべき測定処理や、「ＭｅａｓＲｅｐｏｒｔ」の送信に関する設定を行うものである。「ＭｅａｓＣｏｎｆｉｇ」には、１つ又は複数の「ＲｅｐｏｒｔＣｏｎｆｉｇ」や「ＭｅａｓＯｂｊｅｃｔ」や「ＭｅａｓＩｄ」が含まれ得る。
【００１０】
「ＲｅｐｏｒｔＣｏｎｆｉｇ」は、移動局ＵＥから無線基地局ｅＮＢに対して「ＭｅａｓＲｅｐｏｒｔ」を送信する条件を設定するものである。
【００１１】
例えば、Ｅｖｅｎｔ-Ａ３で規定される条件によれば、周辺セルにおける無線品質の測定結果が、現在のサービングセルにおける無線品質の測定結果よりもオフセット値以上良くなった場合に、「ＭｅａｓＲｅｐｏｒｔ」が送信される。
【００１２】
また、Ｅｖｅｎｔ-Ａ４で規定される条件によれば、周辺セルにおける無線品質の測定結果が、所定閾値よりも良くなった場合に、「ＭｅａｓＲｅｐｏｒｔ」が送信される。
【００１３】
また、Ｅｖｅｎｔ-Ａ２で規定される条件によれば、現在のサービングセルにおける無線品質の測定結果が、所定閾値以下になった場合に、「ＭｅａｓＲｅｐｏｒｔ」が送信される。
【００１４】
また、「Ｐｅｒｉｏｄｉｃａｌ」で規定される条件によれば、「ＭｅａｓＲｅｐｏｒｔ」によって、所定報告周期で、サービングセルや周辺セルにおける無線品質の測定結果が報告される。
【００１５】
かかるオフセット値や所定閾値や所定報告周期や報告回数や条件の種類等が、「ＲｅｐｏｒｔＣｏｎｆｉｇ」によって設定される。
【００１６】
一方、「ＭｅａｓＯｂｊｅｃｔ」は、移動局が測定対象とすべきＲＡＴ（Ｒａｄｉｏ  Ａｃｃｅｓｓ  Ｔｅｃｈｎｏｌｏｇｙ）や周波数を設定するものである。「ＭｅａｓＯｂｊｅｃｔ」には、セル毎に測定結果に適用すべきオフセット値や測定対象から除外すべきセルのリスト等が含まれる場合もある。
【００１７】
そして、「ＭｅａｓＩｄ」は、単一の「ＲｅｐｏｒｔＣｏｎｆｉｇ」と単一の「ＭｅａｓＯｂｊｅｃｔ」をリンクするために用いられ、移動局ＵＥは、「ＭｅａｓＩｄ」がリンクされている「ＭｅａｓＯｂｊｅｃｔ」によって指定されている測定対象についてのみ測定を行い、「ＭｅａｓＩｄ」によって「ＭｅａｓＯｂｊｅｃｔ」に対してリンクされている「ＲｅｐｏｒｔＣｏｎｆｉｇ」によって指定されている条件が満たされている場合にのみ、無線基地局ｅＮＢに対して、かかる測定結果を含む「ＭｅａｓＲｅｐｏｒｔ」を送信する。
【００１８】
図６に、「ＲｅｐｏｒｔＣｏｎｆｉｇ」と「ＭｅａｓＯｂｊｅｃｔ」と「ＭｅａｓＩｄ」との間の関係について示す。
【００１９】
ＬＴＥ  Ｒｅｌｅａｓｅ-８/９方式では、Ｃ-ｐｌａｎｅシグナリングやＵ-ｐｌａｎｅデータは、全て無線ベアラ（ｒａｄｉｏ  ｂｅａｒｅｒ）にて伝送される。
【００２０】
Ｃ-ｐｌａｎｅシグナリング用無線ベアラとして、２本のＳＲＢ（Ｓｉｇｎａｌｌｉｎｇ  Ｒａｄｉｏ  Ｂｅａｒｅｒ）、すなわち、ＳＲＢ１及びＳＲＢ２が設定される。
【００２１】
ＳＲＢ１は、ＲＲＣ（Ｒａｄｉｏ  Ｒｅｓｏｕｒｃｅ  Ｃｏｎｔｒｏｌ）シグナリング、及び、初期接続時のＲＲＣメッセージに連結されて送信される一部のＮＡＳ（Ｎｏｎ  Ａｃｃｅｓｓ  Ｓｔｒａｔｕｍ）メッセージの伝送に用いられ、ＳＲＢ２は、その他の全てのＮＡＳシグナリングの伝送に用いられる。
【００２２】
そして、ＱｏＳ毎に設定されたＤＲＢ（Ｄａｔａ  Ｒａｄｉｏ  Ｂｅａｒｅ：データ用無線ベアラ）を用いて、Ｕ-ｐｌａｎｅデータが伝送される。
【００２３】
ＳＲＢ１の優先度が最も高く設定されており、続いてＳＲＢ２の優先度が高くなるように設定されている。そして、ＱｏＳ、正確には、無線ベアラの設定時に移動管理ノードＭＭＥから通知されるＱＣＩ（ＱｏＳ  Ｃｌａｓｓ  Ｉｎｄｉｃａｔｏｒ）に応じて、ＤＲＢの優先度が決定される。
【先行技術文献】
【非特許文献】
【００２４】
【非特許文献１】３ＧＰＰ  ＴＲ３６.８０５、「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ-ＵＴＲＡ）；  Ｓｔｕｄｙ  ｏｎ  ｍｉｎｉｍｉｚａｔｉｏｎ  ｏｆ  ｄｒｉｖｅ-ｔｅｓｔｓ  ｉｎ  ｎｅｘｔ  ｇｅｎｅｒａｔｉｏｎ  ｎｅｔｗｏｒｋｓ」
【非特許文献２】３ＧＰＰ  ＴＳ３７.３２０、「Ｒａｄｉｏ  ｍｅａｓｕｒｅｍｅｎｔ  ｃｏｌｌｅｃｔｉｏｎ  ｆｏｒ  ＭＤＴ」
【特許文献】
【００２５】
【特許文献１】特開２００８-１９９２２３号公報（特願２００７-０３１３３４）
【発明の概要】
【発明が解決しようとする課題】
【００２６】
ここで出願人は、上述の移動通信システムにおいて、以下のような問題点を発見した。
【００２７】
かかる移動通信システムにおいて、ＭＤＴ、特に、「Ｉｍｍｅｄｉａｔｅ  ＭＤＴ」を行った場合、「ＭｅａｓＲｅｐｏｒｔ」の送信回数が増大することによって、無線リソース消費量やネットワーク負荷が増大するという問題点がある。
【００２８】
ＬＴＥ  Ｒｅｌｅａｓｅ-８/９方式では、「ＭｅａｓＲｅｐｏｒｔ」は、ＳＲＢ１にて伝送されることが規定されている。
【００２９】
しかしながら、基本的に、ＭＤＴは、ネットワーク側で無線品質を収集する目的で行われるものであり、本来、ＳＲＢ１/ＳＲＢ２で伝送されるＣ-ｐｌａｎｅシグナリングよりも優先度は低い。更には、ＭＤＴは、ほとんど全てのＵ-ｐｌａｎｅデータよりも優先度が低くても構わないはずである。
【００３０】
よって、ＳＲＢ１にて「ＭＤＴ  ＭｅａｓＲｅｐｏｒｔ」を送信するのは、効率が悪い。特に、「ＭＤＴ  ＭｅａｓＲｅｐｏｒｔ」が頻繁に送信される場合、無線リソースを優先的に費やすことで、Ｕ-ｐｌａｎｅデータの伝送効率や容量が低下するという問題点がある。
【００３１】
そこで、特許文献１によって、ＭＤＴ用に新たにＳＲＢ３を定義することが提案されている。
【００３２】
しかしながら、特許文献１には、具体的なＳＲＢ３の設定方法や使用方法について開示されていない。
【００３３】
また、ＳＲＢ１及びＳＲＢ２は、初期接続時に確立することが規定されているが、ＳＲＢ３は、通常の通信には不要であるため、ＭＤＴを行わない限りは確立不要である。
【００３４】
しかしながら、特許文献１には、ＳＲＢ３を設定するタイミングや方法について開示されていない。
【００３５】
そこで、本発明は、上述の課題に鑑みてなされたものであり、ＳＲＢ１及びＳＲＢ２における無線リソースを浪費することなく、ＭＤＴを実現することができる移動通信方法、移動局及び無線基地局を提供することを目的とする。
【課題を解決するための手段】
【００３６】
本発明の第１の特徴は、無線基地局が、移動局に対して、測定対象情報及び報告条件を含む試験用測定制御情報を送信する工程Ａと、前記移動局が、前記報告条件によって指定されているシグナリング用無線ベアラを用いて、前記無線基地局に対して、前記測定対象情報によって指定される測定対象における測定結果を含む試験用測定報告を送信する工程Ｂとを有することを要旨とする。
【００３７】
本発明の第２の特徴は、無線基地局から、測定対象情報及び報告条件を含む試験用測定制御情報を受信するように構成されている受信部と、前記報告条件によって指定されているシグナリング用無線ベアラを用いて、前記無線基地局に対して、前記測定対象情報によって指定される測定対象における測定結果を含む試験用測定報告を送信するように構成されている送信部とを具備することを要旨とする。
【００３８】
本発明の第３の特徴は、移動局に対して、測定対象情報及び報告条件を含む試験用測定制御情報を送信するように構成されている送信部を具備し、前記移動局から、前記報告条件によって指定されているシグナリング用無線ベアラを用いて、前記測定対象情報によって指定されている測定対象における測定結果を含む試験用測定報告を受信するように構成されている受信部とを具備することを要旨とする。
【発明の効果】
【００３９】
以上説明したように、本発明によれば、ＳＲＢ１及びＳＲＢ２における無線リソースを浪費することなく、ＭＤＴを実現することができる移動通信方法、移動局及び無線基地局を提供することができる。
【図面の簡単な説明】
【００４０】
【図１】本発明の第１の実施形態に係る移動通信システムの全体構成図である。
【図２】本発明の第１の実施形態に係る無線基地局の機能ブロック図である。
【図３】本発明の第１の実施形態に係る無線基地局によって送信される「ＲｅｐｏｒｔＣｏｎｆｉｇ」のフォーマットの一例を示す図である。
【図４】本発明の第１の実施形態に係る移動局の機能ブロック図である。
【図５】本発明の第１の実施形態に係る移動通信システムの動作を示すシーケンス図である。
【図６】従来の移動通信システムにおける測定処理について説明するための図である。
【発明を実施するための形態】
【００４１】
（本発明の第１の実施形態に係る移動通信システム）
図１乃至図５を参照して、本発明の第１の実施形態に係る移動通信システムの構成について説明する。
【００４２】
図１に示すように、本実施形態に係る移動通信システムでは、移動局ＵＥは、ＰＵＳＣＨ（Ｐｈｙｓｉｃａｌ  Ｕｐｌｉｎｋ  Ｓｈａｒｅｄ  Ｃｈａｎｎｅｌ、上りリンク共有チャネル）を介して、上りリンクデータ信号を送信し、ＰＵＣＣＨ（Ｐｈｙｓｉｃａｌ  Ｕｐｌｉｎｋ  Ｃｏｎｔｒｏｌ  Ｃｈａｎｎｅｌ、上りリンク制御チャネル）を介して、上りリンク制御信号を送信するように構成されている。
【００４３】
また、本実施形態に係る移動通信システムでは、無線基地局ｅＮＢは、ＰＤＳＣＨ（Ｐｈｙｓｉｃａｌ  Ｄｏｗｎｌｉｎｋ  Ｓｈａｒｅｄ  Ｃｈａｎｎｅｌ、下りリンク共有チャネル）を介して、下りリンクデータ信号を送信し、ＰＤＣＣＨ（Ｐｈｙｓｉｃａｌ  Ｄｏｗｎｌｉｎｋ  Ｃｏｎｔｒｏｌ  Ｃｈａｎｎｅｌ、下りリンク制御チャネル）を介して、下りリンク制御信号を送信するように構成されている。
【００４４】
図２に示すように、無線基地局ｅＮＢは、移動局ＵＥごとに、Ｓ１-ＡＰ/Ｘ２-ＡＰ機能１１と、ＲＲＣ機能１２と、ＳＲＢ１機能１３Ａと、ＳＲＢ２機能１３Ｂと、ＳＲＢ３機能１３Ｃと、ＤＲＢ１機能１３Ｄ１〜ＤＲＢｎ機能１３Ｄｎと、ＰＤＣＰ/ＲＬＣ機能１４Ａ〜１４Ｆと、Ｓｃｈｅｄｕｌｅｒ/Ｍｕｌｔｉｐｌｅｘｉｎｇ機能１５と、ＨＡＲＱ機能１６Ａ〜１６Ｃと、ＰＨＹ機能１７とを具備している。
【００４５】
Ｓ１-ＡＰ/Ｘ２-ＡＰ機能１１は、Ｓ１-ＡＰ/Ｘ２-ＡＰレイヤにおける処理を行うように構成されており、ＲＲＣ機能１２は、ＲＲＣレイヤにおける処理を行うように構成されている。
【００４６】
また、ＳＲＢ１機能１３Ａは、ＳＲＢ１に係る処理を行うように構成されており、ＳＲＢ２機能１３Ｂは、ＳＲＢ２に係る処理を行うように構成されており、ＳＲＢ３機能１３Ｃは、ＳＲＢ３に係る処理を行うように構成されており、ＤＲＢ１機能１３Ｄ１〜ＤＲＢｎ機能１３Ｄｎは、ＤＲＢ１〜ＤＲＢ３に係る処理を行うように構成されている。
【００４７】
ＰＤＣＰ（Ｐａｃｋｅｔ  Ｄａｔａ  Ｃｏｎｖｅｒｇｅｎｃｅ  Ｐｒｏｔｏｃｏｌ）/ＲＬＣ（Ｒａｄｉｏ  Ｌｉｎｋ  Ｃｏｎｔｒｏｌ）機能１４Ａ〜１４Ｆは、ＰＤＣＰ/ＲＬＣレイヤにおける処理を行うように構成されている。
【００４８】
Ｓｃｈｅｄｕｌｅｒ/Ｍｕｌｔｉｐｌｅｘｉｎｇ機能１５は、スケジューリング処理及び多重化処理を行うように構成されており、ＨＡＲＱ機能１６Ａ〜１６Ｃは、ＨＡＲＱによる再送制御処理を行うように構成されており、ＰＨＹ機能１７は、物理レイヤにおける処理を行うように構成されている。
【００４９】
ここで、ＳＲＢ１機能１３Ａは、ＳＲＢ１を用いて、「ＭｅａｓＯｂｊｅｃｔ」及び「ＲｅｐｏｒｔＣｏｎｆｉｇ」を含む「ＭｅａｓＣｏｎｆｉｇ」を送信するように構成されている。
【００５０】
これに対して、ＳＲＢ３機能１３Ｃは、ＳＲＢ３を用いて、「ＭｅａｓＯｂｊｅｃｔ」及び「ＲｅｐｏｒｔＣｏｎｆｉｇ」を含む「ＭＤＴ  ＭｅａｓＣｏｎｆｉｇ」を送信するように構成されている。
【００５１】
例えば、図３に示すように、ＳＲＢ３機能１３Ｃは、「ＭＤＴ  ＭｅａｓＣｏｎｆｉｇ」に含まれる「ＲｅｐｏｒｔＣｏｎｆｉｇ」内の情報要素「ｍｄｔ-Ｃｏｎｆｉｇｕｒａｔｉｏｎ-ｒ１０」内の「ｓｒｂＴｏＵｓｅ」に「ｓｒｂ３」を設定することで、移動局ＵＥに対して、ＳＲＢ３を用いて「ＭＤＴ  ＭｅａｓＲｅｐｏｒｔ」を送信するように指示することができる。
【００５２】
或いは、「ＲｅｐｏｒｔＣｏｎｆｉｇ」内の他の情報要素、例えば、ＭＤＴ用の「イベントトリガ（Ｅｖｅｎｔ  ｔｒｉｇｇｅｒ）」を新たに規定して用いることで、移動局ＵＥに対して、ＳＲＢ３を用いて「ＭＤＴ  ＭｅａｓＲｅｐｏｒｔ」を送信するように指示してもよい。
【００５３】
なお、ＳＲＢ１機能１３Ａは、ＳＲＢ１を用いて、「ＭｅａｓＯｂｊｅｃｔ」及び「ＲｅｐｏｒｔＣｏｎｆｉｇ」を含む「ＭＤＴ  ＭｅａｓＣｏｎｆｉｇ」を送信するように構成されていてもよい。
【００５４】
また、ＳＲＢ１機能１３Ａは、ＳＲＢ１を用いて、移動局ＵＥから、「ＲｅｐｏｒｔＣｏｎｆｉｇ」によって指定されているＳＲＢ１を用いて、「ＭｅａｓＯｂｊｅｃｔ」によって指定されている測定対象における測定結果を含む「ＭｅａｓＲｅｐｏｒｔ」を受信するように構成されている。
【００５５】
これに対して、ＳＲＢ３機能１３Ｃは、ＳＲＢ３を用いて、移動局ＵＥから、「ＲｅｐｏｒｔＣｏｎｆｉｇ」によって指定されているＳＲＢ３を用いて、「ＭｅａｓＯｂｊｅｃｔ」によって指定されている測定対象における測定結果を含む「ＭＤＴ  ＭｅａｓＲｅｐｏｒｔ」を受信するように構成されている。
【００５６】
なお、ＳＲＢ１機能１３Ａは、ＳＲＢ１を用いて、移動局ＵＥから、「ＲｅｐｏｒｔＣｏｎｆｉｇ」によって指定されているＳＲＢ１を用いて、「ＭｅａｓＯｂｊｅｃｔ」によって指定されている測定対象における測定結果を含む「ＭＤＴ  ＭｅａｓＲｅｐｏｒｔ」を受信するように構成されていてもよい。
【００５７】
また、ＳＲＢ１機能１３Ａは、移動局ＵＥとの間で、ＳＲＢ１を用いて、ＳＲＢ３を確立するように構成されている。
【００５８】
図４に示すように、移動局ＵＥは、ＮＡＳ機能２１と、ＲＲＣ機能２２と、Ａｐｐｌｉｃａｔｉｏｎ機能２３と、ＳＲＢ１機能２４Ａと、ＳＲＢ２機能２４Ｂと、ＳＲＢ３機能２４Ｃと、ＤＲＢ１機能２４Ｄ１〜ＤＲＢｎ機能２４Ｄｎと、ＰＤＣＰ/ＲＬＣ機能２５Ａ〜２５Ｆと、Ｓｃｈｅｄｕｌｅｒ/Ｍｕｌｔｉｐｌｅｘｉｎｇ機能２６と、ＨＡＲＱ機能２７Ａ〜２７Ｃと、ＰＨＹ機能２８とを具備している。
【００５９】
ＮＡＳ機能２１は、ＮＡＳレイヤにおける処理を行うように構成されており、ＲＲＣ機能２２は、ＲＲＣレイヤにおける処理を行うように構成されており、Ａｐｐｌｉｃａｔｉｏｎ機能２３は、Ａｐｐｌｉｃａｔｉｏｎレイヤにおける処理を行うように構成されている。
【００６０】
また、ＳＲＢ１機能２４Ａは、ＳＲＢ１に係る処理を行うように構成されており、ＳＲＢ２機能２４Ｂは、ＳＲＢ２に係る処理を行うように構成されており、ＳＲＢ３機能２４Ｃは、ＳＲＢ３に係る処理を行うように構成されており、ＤＲＢ１機能２４Ｄ１〜ＤＲＢｎ機能２４Ｄｎは、ＤＲＢ１〜ＤＲＢ３に係る処理を行うように構成されている。
【００６１】
ＰＤＣＰ機能２５Ａ〜２５Ｆは、ＰＤＣＰ/ＲＬＣレイヤにおける処理を行うように構成されており、Ｓｃｈｅｄｕｌｅｒ/Ｍｕｌｔｉｐｌｅｘｉｎｇ機能２６は、スケジューリング処理及び多重化処理を行うように構成されており、ＨＡＲＱ機能２７Ａ〜２７Ｃは、ＨＡＲＱによる再送制御処理を行うように構成されており、ＰＨＹ機能２８は、物理レイヤにおける処理を行うように構成されている。
【００６２】
ここで、ＳＲＢ１機能２４Ａは、ＳＲＢ１を用いて、「ＭｅａｓＯｂｊｅｃｔ」及び「ＲｅｐｏｒｔＣｏｎｆｉｇ」を含む「ＭｅａｓＣｏｎｆｉｇ」を受信するように構成されている。
【００６３】
これに対して、ＳＲＢ３機能２４Ｃは、ＳＲＢ３を用いて、「ＭｅａｓＯｂｊｅｃｔ」及び「ＲｅｐｏｒｔＣｏｎｆｉｇ」を含む「ＭＤＴ  ＭｅａｓＣｏｎｆｉｇ」を受信するように構成されている。
【００６４】
なお、ＳＲＢ１機能２４Ａは、ＳＲＢ１を用いて、「ＭｅａｓＯｂｊｅｃｔ」及び「ＲｅｐｏｒｔＣｏｎｆｉｇ」を含む「ＭＤＴ  ＭｅａｓＣｏｎｆｉｇ」を受信するように構成されていてもよい。
【００６５】
また、ＳＲＢ１機能２４Ａは、ＳＲＢ１を用いて、無線基地局ｅＮＢに対して、「ＲｅｐｏｒｔＣｏｎｆｉｇ」によって指定されているＳＲＢ１を用いて、「ＭｅａｓＯｂｊｅｃｔ」によって指定されている測定対象における測定結果を含む「ＭｅａｓＲｅｐｏｒｔ」を送信するように構成されている。
【００６６】
これに対して、ＳＲＢ３機能２４Ｃは、ＳＲＢ３を用いて、無線基地局ｅＮＢに対して、「ＲｅｐｏｒｔＣｏｎｆｉｇ」によって指定されているＳＲＢ３を用いて、「ＭｅａｓＯｂｊｅｃｔ」によって指定されている測定対象における測定結果を含む「ＭＤＴ  ＭｅａｓＲｅｐｏｒｔ」を送信するように構成されている。
【００６７】
例えば、図３に示すように、「ＭＤＴ  ＭｅａｓＣｏｎｆｉｇ」に含まれる「ＲｅｐｏｒｔＣｏｎｆｉｇ」内の情報要素「ｍｄｔ-Ｃｏｎｆｉｇｕｒａｔｉｏｎ-ｒ１０」内の「ｓｒｂＴｏＵｓｅ」に「ｓｒｂ３」が設定されている場合、ＳＲＢ３機能１３Ｃは、ＳＲＢ３を用いて、かかる「ＭＤＴ  ＭｅａｓＲｅｐｏｒｔ」を送信するように構成されている。
【００６８】
或いは、「ＲｅｐｏｒｔＣｏｎｆｉｇ」内の他の情報要素、例えば、ＭＤＴ用の「イベントトリガ（Ｅｖｅｎｔ  ｔｒｉｇｇｅｒ）」が設定されている場合に、ＳＲＢ３機能１３Ｃは、ＳＲＢ３を用いて、かかる「ＭＤＴ  ＭｅａｓＲｅｐｏｒｔ」を送信するように構成されていてもよい。
【００６９】
なお、ＳＲＢ１機能２４Ａは、ＳＲＢ１を用いて、無線基地局ｅＮＢに対して、「ＲｅｐｏｒｔＣｏｎｆｉｇ」によって指定されているＳＲＢ１を用いて、「ＭｅａｓＯｂｊｅｃｔ」によって指定されている測定対象における測定結果を含む「ＭＤＴ  ＭｅａｓＲｅｐｏｒｔ」を受信するように構成されていてもよい。
【００７０】
また、ＳＲＢ１機能２４Ａは、無線基地局ｅＮＢとの間で、ＳＲＢ１を用いて、ＳＲＢ３を確立するように構成されている。
【００７１】
以下、図５を参照して、本実施形態に係る移動通信システムの動作について説明する。
【００７２】
図５に示すように、ステップＳ１００１において、無線基地局ｅＮＢと移動局ＵＥとの間で、ＲＲＣコネクションが確立され、ステップＳ１００２において、無線基地局ｅＮＢと移動局ＵＥとの間で、ＳＭＣ（Ｓｅｃｕｒｉｔｙ  Ｍｏｄｅ  Ｃｏｍｍａｎｄ/Ｃｏｍｐｌｅｔｅ）処理が行われる。
【００７３】
ここで、無線基地局ｅＮＢと移動局ＵＥとの間で、ＳＲＢ１及びＳＲＢ２が確立される。
【００７４】
ステップＳ１００３において、無線基地局ｅＮＢは、移動局ＵＥに対して、ＳＲＢ１を用いて、無線基地局ｅＮＢと移動局ＵＥとの間でＳＲＢ３を確立するように指示する「ＲＲＣＣｏｎｎｅｃｔｉｏｎＲｅｃｏｎｆｉｇｕｒａｔｉｏｎ（ＭＤＴ  ＭｅａｓＣｏｎｆｉｇ）」を送信する。
【００７５】
ステップＳ１００４において、移動局ＵＥは、無線基地局ｅＮＢに対して、ＳＲＢ１を用いて、「ＲＲＣＣｏｎｎｅｃｔｉｏｎＲｅｃｏｎｆｉｇｕｒａｔｉｏｎＣｏｍｐｌｅｔｅ」を送信する。
【００７６】
ステップＳ１００５〜Ｓ１００７において、移動局ＵＥは、「ＲｅｐｏｒｔＣｏｎｆｉｇ」によって指定されている条件が満たされた場合、「ＲｅｐｏｒｔＣｏｎｆｉｇ」によって指定されているＳＲＢ３を用いて、「ＭｅａｓＯｂｊｅｃｔ」によって指定されている測定対象における測定結果を含む「ＭＤＴ  ＭｅａｓＲｅｐｏｒｔ」を送信する。
【００７７】
ステップＳ１００８において、無線基地局ｅＮＢは、移動局ＵＥに対して、ＳＲＢ１を用いて、ＳＲＢ３の構成を変更するように指示する「ＲＲＣＣｏｎｎｅｃｔｉｏｎＲｅｃｏｎｆｉｇｕｒａｔｉｏｎ（ＭＤＴ  ＭｅａｓＣｏｎｆｉｇ）」を送信する。
【００７８】
ステップＳ１００９において、移動局ＵＥは、無線基地局ｅＮＢに対して、ＳＲＢ３を用いて、「ＲＲＣＣｏｎｎｅｃｔｉｏｎＲｅｃｏｎｆｉｇｕｒａｔｉｏｎＣｏｍｐｌｅｔｅ」を送信する。
【００７９】
ステップＳ１０１０〜Ｓ１０１１において、移動局ＵＥは、「ＲｅｐｏｒｔＣｏｎｆｉｇ」によって指定されている条件が満たされた場合、「ＲｅｐｏｒｔＣｏｎｆｉｇ」によって指定されているＳＲＢ３を用いて、「ＭｅａｓＯｂｊｅｃｔ」によって指定されている測定対象における測定結果を含む「ＭＤＴ  ＭｅａｓＲｅｐｏｒｔ」を送信する。
【００８０】
本実施形態に係る移動通信システムによれば、移動局ＵＥは、「ＲｅｐｏｒｔＣｏｎｆｉｇ」によって指定されているＳＲＢを用いて「ＭＤＴ  ＭｅａｓＲｅｐｏｒｔ」を送信するように構成されているため、ＳＲＢ１及びＳＲＢ２における無線リソースを浪費することなく、ＭＤＴを実現することができる。
【００８１】
以上に述べた本実施形態の特徴は、以下のように表現されていてもよい。
【００８２】
本実施形態の第１の特徴は、移動通信方法であって、無線基地局ｅＮＢが、移動局ＵＥに対して、「ＭｅａｓＯｂｊｅｃｔ（測定対象情報）」及び「ＲｅｐｏｒｔＣｏｎｆｉｇ（報告条件）」を含む「ＭＤＴ  ＭｅａｓＣｏｎｆｉｇ（試験用測定制御情報）」を送信する工程Ａと、移動局ＵＥが、「ＲｅｐｏｒｔＣｏｎｆｉｇ」によって指定されているＳＲＢ（シグナリング用無線ベアラ）を用いて、無線基地局ｅＮＢに対して、「ＭｅａｓＯｂｊｅｃｔ」によって指定される測定対象における測定結果を含む「ＭＤＴ  ＭｅａｓＲｅｐｏｒｔ（試験用測定報告）」を送信する工程Ｂとを有することを要旨とする。
【００８３】
本実施形態の第１の特徴において、ＳＲＢには、ＲＲＣシグナリングを送受信するＳＲＢ１（第１シグナリング用無線ベアラ）と、ＮＡＳシグナリングを送受信するＳＲＢ２（第２シグナリング用無線ベアラ）と、ＳＲＢ３（第３シグナリング用無線ベアラ）とが含まれており、無線基地局ｅＮＢと移動局ＵＥとの間で、ＳＲＢ１を用いて、ＳＲＢ３を確立する工程を有してもよい。
【００８４】
本実施形態の第１の特徴において、工程Ａにおいて、無線基地局ｅＮＢは、移動局ＵＥに対して、ＳＲＢ３用いて、「ＭＤＴ  ＭｅａｓＣｏｎｆｉｇ」を送信してもよい。
【００８５】
本実施形態の第２の特徴は、移動局ＵＥであって、無線基地局ｅＮＢから、「ＭｅａｓＯｂｊｅｃｔ」及び「ＲｅｐｏｒｔＣｏｎｆｉｇ」を含む「ＭＤＴ  ＭｅａｓＣｏｎｆｉｇ」を受信するように構成されている受信部（ＳＲＢ１機能２４Ａ/ＳＲＢ３機能２４Ｃ）と、「ＲｅｐｏｒｔＣｏｎｆｉｇ」によって指定されているＳＲＢ（ＳＲＢ１/ＳＲＢ３）を用いて、無線基地局ｅＮＢに対して、「ＭｅａｓＯｂｊｅｃｔ」によって指定されている測定対象における測定結果を含む「ＭＤＴ  ＭｅａｓＲｅｐｏｒｔ」を送信するように構成されている送信部（ＳＲＢ１機能２４Ａ/ＳＲＢ３機能２４Ｃ）とを具備することを要旨とする。
【００８６】
本実施形態の第２の特徴において、ＳＲＢには、ＲＲＣシグナリングを送受信するＳＲＢ１と、ＮＡＳシグナリングを送受信するＳＲＢ２と、ＳＲＢ３とが含まれており、無線基地局ｅＮＢとの間で、ＳＲＢ１を用いて、ＳＲＢ３を確立するように構成されている確立部（ＳＲＢ１機能２４Ａ）を具備してもよい。
【００８７】
本実施形態の第３の特徴は、無線基地局ｅＮＢであって、移動局ＵＥに対して、「ＭｅａｓＯｂｊｅｃｔ」及び「ＲｅｐｏｒｔＣｏｎｆｉｇ」を含む「ＭＤＴ  ＭｅａｓＣｏｎｆｉｇ」を送信するように構成されている送信部（ＳＲＢ１機能１３Ａ/ＳＲＢ３機能１３Ｃ）を具備し、移動局ＵＥから、「ＲｅｐｏｒｔＣｏｎｆｉｇ」によって指定されているＳＲＢを用いて、「ＭｅａｓＯｂｊｅｃｔ」によって指定されている測定対象における測定結果を含む「ＭＤＴ  ＭｅａｓＲｅｐｏｒｔ」を受信するように構成されている受信部（ＳＲＢ１機能１３Ａ/ＳＲＢ３機能１３Ｃ）とを具備することを要旨とする。
【００８８】
本実施形態の第３の特徴において、ＳＲＢには、ＲＲＣシグナリングを送受信するＳＲＢ１と、ＮＡＳシグナリングを送受信するＳＲＢ２と、ＳＲＢ３とが含まれており、移動局ＵＥとの間で、ＳＲＢ１を用いて、ＳＲＢ３を確立するように構成されている確立部（ＳＲＢ１機能１３Ａ）を具備してもよい。
【００８９】
本実施形態の第３の特徴において、送信部（ＳＲＢ３機能１３Ｃ）は、移動局ＵＥに対して、ＳＲＢ３を用いて、「ＭＤＴ  ＭｅａｓＣｏｎｆｉｇ」を送信するように構成されていてもよい。
【００９０】
本実施形態の第１乃至第３の特徴において、ＳＲＢ３の優先度（ＱＣＩ）は、ＳＲＢ１の優先度及びＳＲＢ２の優先度よりも低くてもよい。
【００９１】
なお、上述の移動局ＵＥや無線基地局ｅＮＢの動作は、ハードウェアによって実施されてもよいし、プロセッサによって実行されるソフトウェアモジュールによって実施されてもよいし、両者の組み合わせによって実施されてもよい。
【００９２】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００９３】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ内に設けられていてもよい。また、かかる記憶媒体及びプロセッサは、ディスクリートコンポーネントとして移動局ＵＥや無線基地局ｅＮＢ内に設けられていてもよい。
【００９４】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００９５】
ｅＮＢ…無線基地局
ＵＥ…移動局
１１…Ｓ１-ＡＰ/Ｘ２-ＡＰ機能
１２…ＲＲＣ機能
１３Ａ、２４Ａ…ＳＲＢ１機能
１３Ｂ、２４Ｂ…ＳＲＢ２機能
１３Ｃ、２４Ｃ…ＳＲＢ３機能
１３Ｄ１、２４Ｄ１…ＤＲＢ１機能
１３Ｄ２、２４Ｄ２…ＤＲＢ２機能
１３Ｄｎ、２４Ｄｎ…ＤＲＢｎ機能
１４Ａ〜１４Ｆ、２５Ａ〜２５Ｆ…ＰＤＣＰ/ＲＬＣ機能
１５、２６…Ｓｃｈｅｄｕｌｅｒ/Ｍｕｌｔｉｐｌｅｘｉｎｇ機能
１６Ａ〜１６Ｃ、２７Ａ〜２７Ｃ…ＨＡＲＱ機能
１７、２８…ＰＨＹ機能
２１…ＮＡＳ機能
２２…ＲＲＣ機能
２３…Ａｐｐｌｉｃａｔｉｏｎ機能
【図１】
2011238997.tif 000003
【図２】
2011238997.tif 000004
【図３】
2011238997.tif 000005
【図４】
2011238997.tif 000006
【図５】
2011238997.tif 000007
【図６】
2011238997.tif 000008
【手続補正書】
【提出日】平成23年4月25日(2011.4.25)
【手続補正１】
【補正対象書類名】特許請求の範囲
【補正対象項目名】全文
【補正方法】変更
【補正の内容】
【特許請求の範囲】
【請求項１】
無線基地局が、移動局に対して、報告条件を含む試験用測定制御情報を送信する工程Ａと、
前記移動局が、前記無線基地局によって指定されているシグナリング用無線ベアラを用いて、該無線基地局に対して、前記試験用測定制御情報に含まれている前記報告条件に基づいて、測定対象における測定結果を含む試験用測定報告を送信する工程Ｂとを有することを特徴とする移動通信方法。
【請求項２】
無線基地局から、報告条件を含む試験用測定制御情報を受信するように構成されている受信部と、
前記無線基地局によって指定されているシグナリング用無線ベアラを用いて、該無線基地局に対して、前記試験用測定制御情報に含まれている前記報告条件に基づいて、測定対象における測定結果を含む試験用測定報告を送信するように構成されている送信部とを具備することを特徴とする移動局。
【請求項３】
移動局に対して、報告条件を含む試験用測定制御情報を送信するように構成されている送信部を具備し、
前記移動局から、指定したシグナリング用無線ベアラを用いて、前記試験用測定制御情報に含まれている前記報告条件に基づいて送信された測定対象における測定結果を含む試験用測定報告を受信するように構成されている受信部とを具備することを特徴とする無線基地局。